Podtech/llm-jp-corpus-v4-ja_patent huggingface dataset:
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
真空エンベロープと、
該真空エンベロープの１部を形成する絶縁スリーブ（７、２１）と、
該絶縁スリーブ（７、２１）を介して延びるマグネトロンカソードの電源リード線と、  マグネトロンから生じる迷マイクロ波放射を吸収する吸収体と、を備え、
前記吸収体は誘電性液体を含有する非金属ジャケット（１３、２２）を含み、該非金属ジャケット（１３、２２）は前記絶縁スリーブ（７、２１）を取り囲んでいる、ことを特徴とするマグネトロン。
【請求項２】
前記絶縁スリーブ（７）は軸方向に延びていることを特徴とする、請求項１に記載のマグネトロン。
【請求項３】
前記絶縁スリーブ（２１）はサイドアームであることを特徴とする、請求項１に記載のマグネトロン。
【請求項４】
前記ジャケット（１３、２２）は、液体が前記ジャケット（１３、２２）を通って流れることを可能にする冷却回路（１４から１８、２２c、２３、２４）を含むことを特徴とする、請求項１〜請求項３のいずれかに記載のマグネトロン。
【請求項５】
前記冷却回路（１４から１８）は、前記流れる液体を含有する前記ジャケット（１３）内のコイル状パイプ（１８）を含むことを特徴とする請求項４に記載のマグネトロン。
【請求項６】
前記冷却回路（２２c、２３、２４）は、前記マグネトロンの軸に対して平行な区画を含む波状部を有し、前記ジャケット（２２）の周りに延びる管（２２ｃ）を含むことを特徴とする、請求項４に記載のマグネトロン。
【請求項７】
前記誘電性液体は水であることを特徴とする、請求項１〜請求項６のいずれかに記載のマグネトロン。
【請求項８】
前記ジャケット（１３）はプラスチック材料で作成されることを特徴とする、請求項１〜請求項７のいずれかに記載のマグネトロン。
【請求項９】
前記マグネトロンは、主要磁場を与えるための水冷電磁石を含み、単一の電源が、前記電磁石の前記冷却回路と、前記ジャケットの冷却回路と、に接続されることを特徴とする、請求項１〜請求項８のいずれかに記載のマグネトロン。
【請求項１０】
前記マグネトロンが水冷アノード（１９）を含み、単一の電源が前記アノード（１９）のための冷却回路（２０）及び前記ジャケット（２２）のための冷却回路（２３）に接続されていることを特徴とする前記請求項１から９のいずれか１つの請求項に記載のマグネトロン。
【請求項１１】
流入流量は、前記アノードのための冷却回路(（２０）へは低インピーダンス経路を有し、前記ジャケット（２２）のための冷却回路（２３）へは高インピーダンス冷却経路を有することを特徴とする請求項１０に記載のマグネトロン。
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
不織ウェブ中に配置されたナノ繊維を含んでなり、そして前記ウェブの表面の少なくとも一部を被覆するコーティングの形態で前記不織ウェブの表面上にコーティングされた熱可塑性粒子の第１セットをさらに含んでなり、前記不織ウェブが０．１ミクロン〜５ミクロンの平均流量細孔径を有し、そして数平均粒径が平均流量細孔径に少なくとも等しい、電気化学電池用セパレーター。
【請求項２】
請求項１に記載のセパレーターを含んでなる電気化学電池。
【請求項３】
請求項１に記載のセパレーターを含んでなるリチウムイオン電池。
【請求項４】
ナノ繊維を含んでなる不織ウェブの表面上へ熱可塑性粒子の第１のセットを塗布するステップを含んでなる、セパレーターの製造方法であって、前記粒子が、コーティングの形態で前記不織ウェブの表面の少なくとも一部を被覆し、前記不織ウェブが０．１ミクロン〜５ミクロンの平均流量細孔径を有し、そして前記粒子の数平均粒径が平均流量細孔径に等しいか、またはそれより大きい方法。
【手続補正２】
【補正対象書類名】明細書
【補正対象項目名】００８８
【補正方法】変更
【補正の内容】
【００８８】
【表３】
2014506716.tif 000001
次に、本発明の態様を示す。
１.  不織ウェブ中に配置されたナノ繊維を含んでなり、そして前記ウェブの表面の少なくとも一部を被覆するコーティングの形態で前記不織ウェブの表面上にコーティングされた熱可塑性粒子の第１セットをさらに含んでなり、前記不織ウェブが０．１ミクロン〜５ミクロンの平均流量細孔径を有し、そして数平均粒径が平均流量細孔径に少なくとも等しい、電気化学電池用セパレーター。
２.  数平均粒径が平均流量細孔径の少なくとも５倍である、上記１に記載のセパレーター。
３.  前記熱可塑性粒子が、７０℃〜１８０℃の融点開始を有する、上記１に記載のセパレーター。
４.  前記コーティングが、前記粒子の第１セットと異なり、そしてポリマー粒子、非ポリマー粒子およびそれらの混合物からなる群から選択される粒子の第２セットをさらに含む、上記１に記載のセパレーター。
５.  前記粒子の第２セットが、平均流量細孔径に少なくとも等しい平均粒径を有し、そして７０℃〜１６０℃の融点開始を有する、上記４に記載のセパレーター。
６.  前記粒子の第２セットが、平均流量細孔径の少なくとも５倍の平均粒径を有する、上記４に記載のセパレーター。
７.  前記粒子の第１セットおよび前記粒子の第２セットが、前記コーティング中でブレンドされている、上記４に記載のセパレーター。
８.  前記粒子が官能化されている、上記１に記載のセパレーター。
９.  前記粒子が、コーティングされているか、コア−シェルであるか、２成分または複合粒子である、上記１に記載のセパレーター。
１０.  前記粒子の第１および第２セットが、前記コーティング中で別の個別の層に配置されている、上記４に記載のセパレーター。
１１.  前記コーティングが、結合剤粒子、溶解オリゴマーもしくはポリマー、または接着剤スプレーもしくは膜を使用して固定されている、上記１に記載のセパレーター。
１２.  複数の異なる個別の不織ウェブをさらに含んでなり、前記不織ウェブが粒子によって互いに分離されている、上記１に記載のセパレーター。
１３.  前記セパレーターのイオン抵抗が、閾値温度に達した時に初期抵抗の少なくとも２倍増加し、そして前記セパレーターが、２００℃までの温度で、前記セパレーターの収縮が１０％未満であるように構造的に安定しているようにシャットダウン機能を提供する、上記１に記載のセパレーター。
１４.  ２００℃までの温度で、前記セパレーターの収縮が５％未満であるように構造的に安定している、上記１３に記載のセパレーター。
１５.  ２００℃までの温度で、前記セパレーターの収縮が２％未満であるように構造的に安定している、上記１４に記載のセパレーター。
１６.  ２００℃までの温度で、前記セパレーターの収縮が１％未満であるように構造的に安定している、上記１５に記載のセパレーター。
１７.  前記粒子が２００ｍｇＫＯＨ／ｇ未満の酸価を有する、上記１に記載のセパレーター。
１８.  前記コーティングがいかなる界面活性剤または分散剤も含有しない、上記１に記載のセパレーター。
１９.  上記１に記載のセパレーターを含んでなる電気化学電池。
２０.  上記１に記載のセパレーターを含んでなるリチウムイオン電池。
２１.  ナノ繊維を含んでなる不織ウェブの表面上へ熱可塑性粒子の第１のセットを塗布するステップを含んでなる、セパレーターの製造方法であって、前記粒子が、コーティングの形態で前記不織ウェブの表面の少なくとも一部を被覆し、前記不織ウェブが０．１ミクロン〜５ミクロンの平均流量細孔径を有し、そして前記粒子の数平均粒径が平均流量細孔径に等しいか、またはそれより大きい方法。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
対象の細胞中でＵＤＰ−ＧｌｃＮＡｃ２−エピメラーゼ／ＭａｎＮＡｃキナーゼ酵素（ＧＮＥ）ペプチドを発現または産生させる方法であって、
ＧＮＥペプチドまたはその治療的に活性な断片をコードする核酸配列に機能的に結合したプロモーターを含む単離した核酸発現コンストラクトを対象の細胞に送達することを含み、前記単離した核酸発現コンストラクトが配列番号２に記載の配列を有し、前記対象の細胞への前記送達することの後、前記核酸発現コンストラクトが前記ＧＮＥペプチドまたはその治療的に活性な断片の発現を開始する、方法。
【請求項２】
前記対象の細胞が前記対象の肢に存在する、請求項１に記載の方法。
【請求項３】
前記送達することが一時的な血管閉塞と組み合わせた血管送達方法を含む、請求項２に記載の方法。
【請求項４】
前記送達方法は、
ａ）血管内アクセスを通って前記対象の肢に液体を注入することであって、注入される液体は核酸発現コンストラクトを含み、前記注入される液体は前記肢の骨格筋または標的組織の全体にわたって浸み込む、液体を注入することと、
ｂ）前記注入される液体の量を増加させることによって、血管内および組織内の圧を増加させることと、
を含む、請求項３に記載の方法。
【請求項５】
前記核酸発現コンストラクトは、単回用量で送達される、請求項４に記載の方法。
【請求項６】
前記単回用量は、注入される総量にかかわりなく産物の特定濃度または注入される総量にかかわりなく特定モル量を含む、請求項５に記載の方法。
【請求項７】
前記単離した核酸発現コンストラクトは、トランスフェクションを促進するプロモーター／エンハンサーをさらに含む、請求項１に記載の方法。
【請求項８】
前記トランスフェクションを促進するプロモーター／エンハンサーは、シアル酸を産生することが可能な酵素的に活性のポリペプチドをコードする核酸配列に機能的に結合されている、請求項７に記載の方法。
【請求項９】
前記単離した核酸発現コンストラクトによって発現される組換えポリペプチドは、ＧＮＥの高次形態を含み、増加および／または向上したＧＮＥ機能を産生する、請求項８に記載の方法。
【請求項１０】
前記対象の細胞は二倍体細胞を含む、請求項１に記載の方法。
【請求項１１】
前記対象の細胞は筋細胞を含む、請求項１に記載の方法。
【請求項１２】
前記対象は、ヒト、反芻動物、食用動物または使役動物を含む、請求項１に記載の方法。
【請求項１３】
前記送達が、
ａ）対象の肢の膝下または肘下のあるポイントで静脈内アクセスを作成すること；
ｂ）前記静脈内アクセスポイントよりも前記対象の体の他の近位のポイントに止血帯を施すこと；
ｃ）単離した核酸発現コンストラクトの単回用量を、前記静脈内アクセスを通して肢に導入することであって、前記単回用量は、ポリヌクレオチドの血管外漏出のために、血管内圧を上昇させるのに十分な量である、導入することと
を含む、請求項１に記載の方法。
【請求項１４】
細胞中でＧＮＥペプチドを生成する方法であって、ＧＮＥペプチドまたはその治療的に活性な断片をコードする核酸配列に機能的に結合したプロモーターを含む、配列番号２の単離した核酸コンストラクトを前記細胞に感染させることを含む、方法。
【請求項１５】
前記核酸配列が、Ｒ２６６Ｑ変異を含むＧＮＥペプチドまたはその治療的に活性な断片をコードする、請求項１に記載の方法。
【誤訳訂正書】
【提出日】平成27年1月6日(2015.1.6)
【誤訳訂正１】
【訂正対象書類名】明細書
【訂正対象項目名】００６０
【訂正方法】変更
【訂正の内容】
【００６０】
以下の条件により定義される、フレームイオン化検出(FID)を伴うヘッドスペース法によるＧＣ解析は、ラカンカ抽出物の供給物、及び活性炭処理後に回収されたラカンカ抽出物のより良い風味のする部分の半揮発性有機化合物の組成を決定するために用いられた。
Combi PAL Autosampler
モード:  Headspace
シリンジ容積:  1 mL
シリンジ温度:  85°C
振動温度（Agitator Temperature）:  80°C
プレインキュベーション時間（Pre-incubation Time）:  30 分
プレインキュベーション振動速度
（Pre-incubation Agitator Speed）:  500 rpm (5 秒 on, 2 秒 off)
吸引パイプ充填速度（Plunger Fill Speed）:  200 μL/秒
粘性遅延（Viscosity Delay）:  12 秒
注入前遅延（Pre-injection Delay）:  0 sec
吸引パイプ注入速度（Plunger Inject Speed）:  100 μL/秒
注入後遅延（Post-injection Delay）:  10 秒
シリンジ充填時間（Syringe Flush Time）:  3 min
GC 回転時間（GC Cycle Time）:  54 min
Varian 3800 GC
オーブン:
初期温度:  40°C
初期保持時間:  5 分
Ramp:  7.5°C/min
最終温度:  235°C
最終保持時間:  14 分
前部流入(1177):
温度:  250°C
モード:  Splitless
カラム:
型:  Rtx-624 (30 m x 0.25 mm x 1.4 μm) - Restek Cat # 10968
モード:  Constant Flow
流速:  1.0 mL/分(Helium)
中間バルブオーブン:
温度:  250°C
Varian 4000 FID
温度: 250°C
補給ガス: 2 mL/分 (He)
H2流速: 40 mL/分
空気流速: 450 mL/分
Varian 4000 Ion Trap MS
スキャン型:  Full
質量範囲:  25〜275 m/z
スキャン時間:  0.00 〜45.00 時間
イオン化の型:  EI
標的TIC:  20000 カウント
最大イオン時間:  25000 μ秒
排出流量:  10 μamps
平均スキャン:  3 μscans (0.60 秒/scan)
データ転送速度:  1.67 Hz
乗数補正:  0 V
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
野生型ＦｃポリペプチドのＦｃ変異体を含む変異体ヘテロ多量体タンパク質又は修飾型ＩｇＧ抗体であって、前記Ｆｃ変異体が、前記野生型ＦｃポリペプチドのＦｃ領域に少なくとも二のアミノ酸修飾を含み、前記変異体タンパク質が、野生型Ｆｃポリペプチドと比較した場合に、誤対合の減少、頭尾形成の減少、又は全収率の増大を示す、前記変異体ヘテロ多量体タンパク質又は前記修飾型ＩｇＧ抗体。
【請求項２】
ノブ・イントゥー・ホール修飾を更に含む、請求項１に記載の変異体ヘテロ多量体タンパク質又は修飾型ＩｇＧ抗体。
【請求項３】
野生型ＦｃポリペプチドのＦｃ変異体を含む変異体ヘテロ多量体タンパク質又は修飾型ＩｇＧ抗体であって、前記Ｆｃ変異体が、少なくとも一の重鎖の残基２４１及び２４３（ＥＵ番号付け）で、野生型Ｆｃポリペプチドに存在するものと異なるアミノ酸との置換を含み、それにより、残基２４１及び２４３（ＥＵ番号付け）で置換が無いヘテロ多量体又はＩｇＧ抗体と比較した場合に、誤対合の減少、頭尾形成の減少、又は全収率の増大を生じる、前記変異体ヘテロ多量体タンパク質又は前記修飾型ＩｇＧ抗体。
【請求項４】
少なくとも一の重鎖において、Ｆ２４１Ｒ／Ｆ２４３Ｓ及びＦ２４１Ｓ／Ｆ２４３Ｒから選択される変異を含む、請求項３に記載の変異体ヘテロ多量体タンパク質又は修飾型ＩｇＧ抗体。
【請求項５】
ノブ・イントゥー・ホール修飾を更に含む、請求項３又は請求項４に記載の変異体ヘテロ多量体タンパク質又は修飾型ＩｇＧ抗体。
【請求項６】
ノブ修飾が、Ｆｃポリペプチドの界面からの元のアミノ酸残基を、元のアミノ酸残基よりも大きい側鎖を持つアミノ酸残基と置換することを含み、アミノ酸残基の置換が、トリプトファン、フェニルアラニン、チロシン及びアルギニンからなる群から選択される、請求項５に記載の変異体ヘテロ多量体タンパク質又は修飾型ＩｇＧ抗体。
【請求項７】
ノブ修飾がＴ３６６Ｗ置換（ＥＵ番号付け）を含む、請求項５又は請求項６に記載の変異体ヘテロ多量体タンパク質又は修飾型ＩｇＧ抗体。
【請求項８】
ホール修飾が、Ｆｃポリペプチドの界面からの元のアミノ酸残基を、元のアミノ酸残基よりも小さい側鎖を持つアミノ酸残基と置換することを含み、置換するアミノ酸残基が、セリン、スレオニン、バリン及びアラニンからなる群から選択される、請求項５から７の何れか一項に記載の変異体ヘテロ多量体タンパク質又は修飾型ＩｇＧ抗体。
【請求項９】
ホール修飾が、Ｔ３６６Ｓ、Ｌ３６８Ａ及びＹ４０７Ｖ（ＥＵ番号付け）からなる群から選択される二又はそれ以上のアミノ酸置換を含む、請求項８に記載の変異体ヘテロ多量体タンパク質又は修飾型ＩｇＧ抗体。
【請求項１０】
Ｆ２４１Ｒ／Ｆ２４３Ｓ又はＦ２４１Ｓ／Ｆ２４３Ｒ置換を含む重鎖が、ノブ修飾を更に含む、請求項５から９の何れか一項に記載の変異体ヘテロ多量体タンパク質又は修飾型ＩｇＧ抗体。
【請求項１１】
Ｆ２４１Ｒ／Ｆ２４３Ｓ又はＦ２４１Ｓ／Ｆ２４３Ｒ置換を含む重鎖が、ホール修飾を更に含む、請求項５から１０の何れか一項に記載の変異体ヘテロ多量体タンパク質又は修飾型ＩｇＧ抗体。
【請求項１２】
両方の重鎖がＦ２４１Ｒ／Ｆ２４３Ｓ又はＦ２４１Ｓ／Ｆ２４３Ｒ置換を含む、請求項５から１１の何れか一項に記載の変異体ヘテロ多量体タンパク質又は修飾型ＩｇＧ抗体。
【請求項１３】
タンパク質又は抗体が多重特異性抗体である、請求項１から１２の何れか一項に記載の変異体ヘテロ多量体タンパク質又は修飾型ＩｇＧ抗体。
【請求項１４】
請求項１から１３の何れか一項に記載の変異体ヘテロ多量体タンパク質又は修飾型ＩｇＧ抗体をコードする単離された核酸。
【請求項１５】
請求項１４に記載の核酸を含む発現ベクター。
【請求項１６】
請求項１４に記載の核酸分子を含む宿主細胞、又は請求項１５に記載の発現ベクター。
【請求項１７】
請求項１から１６の何れか一項に記載の変異体ヘテロ多量体タンパク質又は修飾型ＩｇＧ抗体を産生する宿主細胞。
【請求項１８】
ＣＨＯ細胞、又は大腸菌細胞である、請求項１６又は１７に記載の宿主細胞。
【請求項１９】
変異体ヘテロ多量体タンパク質又は修飾型ＩｇＧ抗体を産生する方法であって、請求項１６又は１７に記載の宿主細胞を培養し、該細胞培養液から変異体ヘテロ多量体タンパク質又は修飾型ＩｇＧ抗体を回収することを含む方法。
【請求項２０】
請求項１から１９の何れか一項に記載の変異体ヘテロ多量体タンパク質又は修飾型ＩｇＧ抗体を含む組成物。
【請求項２１】
第一のヘテロ二量体化ドメインを有する第一のＦｃ含有ポリペプチド、及び第二のヘテロ二量体化ドメインを有する第二のＦｃ含有ポリペプチドを含むヘテロ多量体タンパク質を調製する方法であって、該第一及び／又は第二のＦｃ含有ポリペプチドが残基２４１及び２４３（ＥＵ番号付け）で置換を含み、該方法が
（ａ）第一のヘテロ二量体化ドメインを有する精製された第一のＦｃ含有ポリペプチドを提供し；
（ｂ）第二のヘテロ二量体化ドメインを有する精製された第二のＦｃ含有ポリペプチドを提供し；
（ｃ）第一及び第二のＦｃ含有ポリペプチドを結合し、及び
（ｄ）第一のＦｃ含有ポリペプチドを第二のＦｃ含有ポリペプチドと再フォールディングし、ヘテロ多量体タンパク質を形成する工程を含む方法。
【請求項２２】
ヘテロ多量体タンパク質を精製する工程を更に含む、請求項２１に記載の方法。
【請求項２３】
第一及び／又は第二のＦｃ含有ポリペプチドがＦ２４１Ｒ／Ｆ２４３Ｓ又はＦ２４１Ｓ／Ｆ２４３Ｒ置換を含む、請求項２１又は請求項２２に記載の方法。
【請求項２４】
第一及び／又は第二のＦｃ含有ポリペプチドがノブ・イントゥー・ホール修飾を更に含む、請求項２３に記載の方法。
【請求項２５】
請求項１９に記載の方法により産生される、単離された変異体ヘテロ多量体タンパク質。
【請求項２６】
請求項２１に記載の方法により産生される、単離されたヘテロ多量体タンパク質。
【誤訳訂正書】
【提出日】平成27年2月25日(2015.2.25)
【誤訳訂正１】
【訂正対象書類名】明細書
【訂正対象項目名】００２７
【訂正方法】変更
【訂正の内容】
【００２７】
以下の説明では、個々の記述に対応するレートＲが互いに等しく、受信した記述の数のみに歪みが依存するという対称の場合に注目する。したがって、ｍ個の記述に対して、ｍ個の各受信機（デコーダ）およびｍ個の復元のみが存在する。レートＲは、最大で利用可能な伝送容量をｍ個の互いに素な（ｄｉｓｊｏｉｎｔ）チャネルに分割することによって得られるサブチャネルの容量と一致する。したがって、各記述は互いに素なチャネルを介して送られ、実際の伝送容量が与えられればチャネルは存在するものと仮定する。
【誤訳訂正２】
【訂正対象書類名】明細書
【訂正対象項目名】００２９
【訂正方法】変更
【訂正の内容】
【００２９】
最適量子化器の出力をＱ出力と呼び、消去量子化器の出力をＥ出力と呼ぶことにする。図示の実施形態において、各Ｒ１最適量子化器の入力は、他の記述を生成するＲ１最適量子化器の入力とは独立して量子化され、一方、異なる記述における、消去量子化器によって形成された消去箇所は互いに素となる。その結果、受信された各記述は復元品質に貢献する。これは、各記述が、そのＥ出力とは異なる符号化されていない記号を足し合わせている可能性が高いだけでなく、各Ｑ出力が、ソースにおいて、歪んでいるが独立した（ひいては画期的な）見た目を表すことで、量子化誤りが減少するためである。
【誤訳訂正３】
【訂正対象書類名】明細書
【訂正対象項目名】００４３
【訂正方法】変更
【訂正の内容】
【００４３】
図５は、ジョイントデコーダ、消去量子化器およびハイブリッド量子化器に対応するチャネル品質の関数として歪みを比較するグラフである。曲線５１０は、コンテンツ単位に作用する１００個の最適に量子化された記述のジョイントデコーダでの歪みに関係している。曲線５２０は、互いに素に消去された、コンテンツ単位の１００個の部分集合のデコーダでの歪みに関係している。曲線５３０は、レート分割比１６でコンテンツ単位に作用する１００個のハイブリッド記述のジョイントデコーダでの歪みに関係している。この歪みは、より可能性の高いチャネル状態の領域５４０において低減されることは明らかである。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
入口および出口を有するチャンバーを規定する壁；
酵素に共有結合していて、チャンバー内に配置された固体固定相であって、固体固定相は構造的に安定で、約１７２ｂａｒから約２４１０ｂａｒの間の圧力に晒された時に酵素に対する共有結合を保つ耐圧性固体固定相である固体固定相；および
チャンバーと流体連絡していて、約１７２ｂａｒから２４１０ｂａｒの間の圧力下で、入口から固体固定相を通って出口の外へ流れる、ポリマー分析物を含む液体サンプルの連続流を維持するように適合された圧力モジュレーター
を含む装置。
【請求項２】
固体固定相は、無機／有機ハイブリッド粒子を含む、請求項１に記載の装置。
【請求項３】
固体固定相は、モノリス、多孔質材料、表面多孔質材料、多孔質粒子、表面多孔質粒子、または無孔質材料もしくは粒子を含む、請求項１に記載の装置。
【請求項４】
固体固定相は、０．１から２．５ｃｍ３／ｇの範囲内の平均細孔容積を有する孔を含む、請求項１に記載の装置。
【請求項５】
固体固定相は、１００から１，０００Åの範囲内の平均孔径を有する孔を含む、請求項１に記載の装置。
【請求項６】
固体固定相は、セラミック、シリカ、無機シリカ、表面ハイブリッド、または金属酸化物を含む、請求項１に記載の装置。
【請求項７】
固体固定相は、０．１から１０μの範囲内の平均径を有する粒子を含む、請求項１に記載の装置。
【請求項８】
共有リンカーは、有機官能化シランリンカーを含む、請求項１に記載の装置。
【請求項９】
圧力は、約５５２から１０３０ｂａｒの範囲内にある、請求項１に記載の装置。
【請求項１０】
出口から流出する分析物を収集するために構成された捕捉カラム；
収集された分析物を分離するために構成されたクロマトグラフィーカラム；および
分離された分析物を分析するために構成された質量分析計
をさらに含む、請求項１に記載の装置。
【請求項１１】
固体固定相に結合された捕捉基をさらに含む、請求項１に記載の装置。
【請求項１２】
約１７２ｂａｒから約２４１０ｂａｒの間の圧力下で、酵素に共有結合した固体固定相にポリマー分析物を含む液体サンプルを連続的に流し、これによりポリマー分析物を酵素的に開裂させることを含む、ポリマー分析物を酵素的に開裂させる方法。
【請求項１３】
酵素に共有結合させることができ、ならびに酵素に対する共有結合を維持しながら約１７２ｂａｒから約２４１０ｂａｒの間の圧力下で操作することができる耐圧性固体固定相を提供すること；および
入口および出口を有するチャンバー内に酵素に共有結合した固体固定相を添加すること；および
前記圧力下で入口から固体固定相を通って出口の外へ流れる、ポリマー分析物を含む液体サンプルの連続流を維持するように適合された圧力モジュレーターと流体連絡しているチャンバーを載置することを含む、ポリマー分析物を酵素的に開裂させる装置を提供する方法。
【請求項１４】
固体固定相は、エチレン架橋（ＢＥＨ）粒子を含む、請求項１２または１３に記載の方法。
【請求項１５】
共有リンカーは、トリエトキシシリルブチルアルデヒドを含む、請求項１２または１３に記載の方法。
【請求項１６】
圧力は、約５５２から１０３０ｂａｒの範囲内にある、請求項１２または１３に記載の方法。
【請求項１７】
液体サンプルを連続的に流動しながら、（ｉ）約１７２ｂａｒから約２４１０ｂａｒの間の圧力および（ｉｉ）約１７２ｂａｒ未満の第２の圧力の間を循環させることをさらに含む、請求項１３に記載の方法。
【請求項１８】
固体固定相が捕捉基に結合している、請求項１２または１３に記載の方法。
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
ベース体を備えたＥＵＶリソグラフィ用のミラーの基板であって、前記ベース体（２）は、析出硬化型銅合金からなることを特徴とする基板。
【請求項２】
ベース体を備えたＥＵＶリソグラフィ用のミラーの基板であって、合金が、対応の合金系の状態図において相安定線で囲まれた領域にある組成を有することを特徴とする基板。
【請求項３】
請求項２に記載の基板において、前記合金は、置換格子を有する合金であることを特徴とする基板。
【請求項４】
請求項２に記載の基板において、前記合金を析出硬化させたことを特徴とする基板。
【請求項５】
請求項２〜４のいずれか１項に記載の基板において、前記合金は、銅又はアルミニウム合金であることを特徴とする基板。
【請求項６】
ベース体を備えたＥＵＶリソグラフィ用のミラーの基板であって、前記ベース体（２）は粒子複合材からなることを特徴とする基板。
【請求項７】
請求項６に記載の基板において、前記粒子複合材は、１ｎｍ〜２０ｎｍ程度の分散質を有することを特徴とする基板。
【請求項８】
請求項６又は７に記載の基板において、前記粒子複合材は、金属マトリックスを有することを特徴とする基板。
【請求項９】
請求項８に記載の基板において、前記粒子複合材は、球状の分散質を有することを特徴とする基板。
【請求項１０】
請求項８又は９に記載の基板において、前記金属マトリックスは、銅マトリックス又はアルミニウムマトリックスであることを特徴とする基板。
【請求項１１】
請求項６又は７に記載の基板において、前記粒子複合材は、セラミックマトリックスを有することを特徴とする基板。
【請求項１２】
請求項１１に記載の基板において、前記セラミックマトリックスは、炭化ケイ素分散質を含むケイ素マトリックス又は炭素マトリックスであることを特徴とする基板。
【請求項１３】
ベース体を備えたＥＵＶリソグラフィ用のミラーの基板であって、前記ベース体（２）は、合金系の金属間化合物相からなることを特徴とする基板。
【請求項１４】
請求項１３に記載の基板において、前記ベース体（２）は、化学量論的標準組成が観察される金属間化合物相からなることを特徴とする基板。
【請求項１５】
請求項１３又は１４に記載の基板において、前記ベース体（２）は、前記合金系の状態図における相安定線に対応する組成を有する金属間化合物相からなることを特徴とする基板。
【請求項１６】
請求項１３〜１５のいずれか１項に記載の基板において、前記合金は、対応の合金系の状態図において相安定線で囲まれた領域にある組成を有することを特徴とする基板。
【請求項１７】
請求項１３〜１６のいずれか１項に記載の基板において、前記金属間化合物相は、結晶形態でその成分と同じブラヴェ格子を有することを特徴とする基板。
【請求項１８】
請求項１３〜１７のいずれか１項に記載の基板において、前記合金系は、一方の成分が銅である二元系であることを特徴とする基板。
【請求項１９】
請求項１３〜１８のいずれか１項に記載の基板において、前記合金系は、アルミニウム−銅二元系であることを特徴とする基板。
【請求項２０】
請求項１〜１９のいずれか１項に記載の基板において、前記ベース体（２）の材料は、面心立方構造を有することを特徴とする基板。
【請求項２１】
請求項１〜２０のいずれか１項に記載の基板において、前記ベース体（２）の材料は、１年間という期間にわたって２０℃〜１５０℃の温度変化の場合に微細構造の変化を生じないことを特徴とする基板。
【請求項２２】
請求項１〜２１のいずれか１項に記載の基板において、研磨層（３）を前記ベース体（２）上に配置したことを特徴とする基板。
【請求項２３】
請求項２２に記載の基板において、接着促進層（４）を前記ベース体（２）と前記研磨層（３）との間に配置したことを特徴とする基板。
【請求項２４】
請求項１〜２１のいずれか１項に記載の基板（１）と、該基板（１）上の高反射層（６）とを備えたＥＵＶ投影露光装置用のミラー。
【請求項２５】
請求項２２又は２３に記載の基板（１）と、前記研磨層（３）上の高反射層（６）とを備えたＥＵＶ投影露光装置用のミラー。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
可撓性の導電性基板の上に電気活性材料を堆積させる方法であって、
第１の加熱式ローラの上で可撓性の導電性基板を移送しながら、前記可撓性の導電性基板の上に第１の電気活性材料を同時に噴霧することと、
第２の加熱式ローラの上で前記可撓性の導電性基板を移送しながら、前記可撓性の導電性基板の上に第２の電気活性材料を同時に噴霧することと
を含み、前記第１および第２の電気活性材料がそれぞれ、カソード活性材料またはアノード活性材料を含む、方法。
【請求項２】
前記第１の電気活性材料を同時に噴霧することおよび前記第２の電気活性材料を同時に噴霧することは、水圧スプレー法、原子化スプレー法、電気スプレー法、プラズマスプレー法、および火炎スプレー法から選択されるスプレー法を使用して実行される、請求項１に記載の方法。
【請求項３】
複数の前記加熱式ローラが、摂氏５０度〜摂氏２５０度の温度まで加熱される、請求項２に記載の方法。
【請求項４】
前記可撓性の導電性基板が各加熱式ローラに巻き付き、各加熱式ローラの表面の円周の少なくとも１８０度を覆う、請求項３に記載の方法。
【請求項５】
前記第１の電気活性材料および前記第２の電気活性材料が、結合剤および溶剤をさらに含み且つ約４０重量％〜約８５重量％の高い固体含有率を有する混合スラリの一部である、請求項２に記載の方法。
【請求項６】
前記第１の電気活性材料および前記第２の電気活性材料が、前記可撓性の導電性基板の両面に堆積される、請求項１に記載の方法。
【請求項７】
可撓性の導電性基板の上に電気活性材料を堆積させるスプレーモジュールであって、
前記可撓性の導電性基板を加熱および移送する第１の加熱式ローラと、
前記可撓性の導電性基板を加熱および移送する第２の加熱式ローラと、
前記可撓性の導電性基板が前記第１の加熱式ローラによって加熱されるときに前記可撓性の導電性基板上へ電気活性材料を噴霧するために前記第１の加熱式ローラに隣接して位置決めされた第１のスプレーディスペンサと、
前記可撓性の導電性基板が前記第２の加熱式ローラによって加熱されるときに前記可撓性の導電性基板の上に電気活性材料を噴霧するために前記第２の加熱式ローラに隣接して位置決めされた第２のスプレーディスペンサと
を備えるスプレーモジュール。
【請求項８】
前記第１のスプレーディスペンサおよび前記第２のスプレーディスペンサが、前記可撓性の導電性基板の両面に前記電気活性材料を堆積させるように位置決めされる、請求項７に記載のスプレーモジュール。
【請求項９】
前記第１のスプレーディスペンサおよび前記第２のスプレーディスペンサが、水圧スプレーノズル、２流体ノズル、回転アトマイザ、超音波アトマイザ、および静電スプレーノズルを含む群から選択される少なくとも１つのスプレーノズルを含む、請求項７に記載のスプレーモジュール。
【請求項１０】
前記第１の加熱式ローラおよび前記第２の加熱式ローラが、前記可撓性の導電性基板が各加熱式ローラに巻き付き各加熱式ローラの表面の少なくとも１８０度を覆うように寸法設定される、請求項７に記載のスプレーモジュール。
【請求項１１】
前記加熱式ローラが、銅、アルミニウム、これらの合金、またはこれらの組合せを含み、ナイロン、ポリフッ化ビニリデン（ＰＶＤＦ）、エチレンクロロトリフルオロエチレン（ＥＣＴＦＥ）、またはこれらの組合せでコーティングされる、請求項１０に記載のスプレーモジュール。
【請求項１２】
アノード電極とカソード電極を分離するセパレータであって、
ポリビニルアルコール（ＰＶＡ）層と、
前記ＰＶＡ層内に埋め込まれた無機粒子と
を含むセパレータ。
【請求項１３】
前記ＰＶＡ層がナノファイババックボーン構造であり、前記無機粒子が前記ナノファイババックボーン構造のナノファイバ内に埋め込まれる、請求項１２に記載のセパレータ。
【請求項１４】
前記無機粒子が、ＢａＴｉＯ３、ＨｆＯ２（ハフニア）、ＳｒＴｉＯ３、ＴｉＯ２（チタニア）、ＳｉＯ２（シリカ）、Ａｌ２Ｏ３（アルミナ）、ＺｒＯ２（ジルコニア）、ＳｎＯ２、ＣｅＯ２、ＭｇＯ、ＣａＯ、Ｙ２Ｏ３、ＣａＣＯ３、およびこれらの組合せからなる群から選択されるセラミック粒子である、請求項１３に記載のセパレータ。
【請求項１５】
前記ナノファイババックボーン構造の前記ナノファイバが、約１００ナノメートル〜約２００ナノメートルの直径を有し、および、前記ナノファイババックボーン構造が、同じ材料から形成された固体の膜と比較すると、約４０％〜約９０％の多孔性を有する、請求項１３に記載のセパレータ。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
Ｃ１６：１ｎ７−パルミトレアート誘導体とパルミタート誘導体とを含む栄養補助食品であって、該栄養補助食品は
（ｉ）Ｃ１６：１ｎ７−パルミトレアート誘導体対パルミタート誘導体の比率が２０：１から１００：１であり；かつ
（ｉｉ）少なくとも２０重量％のＣ１６：１ｎ７−パルミトレアート誘導体を含み；かつ
パルミトレアート誘導体およびパルミタート誘導体の各々が独立して、遊離酸、薬学的に許容される塩、（Ｃ１−Ｃ４）アルキルエステル、モノグリセリド、ジグリセリド、トリグリセリド、またはそれらの任意の２つ以上の組み合わせである、
栄養補助食品。
【請求項２】
少なくとも３５重量％のＣ１６：１ｎ７−パルミトレアート誘導体を含む、請求項１記載の栄養補助食品。
【請求項３】
少なくとも５０重量％のＣ１６：１ｎ７−パルミトレアート誘導体を含む、請求項１記載の栄養補助食品。
【請求項４】
少なくとも９０重量％のＣ１６：１ｎ７−パルミトレアート誘導体を含む、請求項１記載の栄養補助食品。
【請求項５】
Ｃ１６：１ｎ７−パルミトレアート誘導体対パルミタート誘導体の比率が２０：１から５０：１である、請求項１記載の栄養補助食品。
【請求項６】
Ｃ１６：１ｎ７−パルミトレアート誘導体対パルミタート誘導体の比率が５０：１から１００：１である、請求項１記載の栄養補助食品。
【請求項７】
すべての誘導体が（Ｃ１−Ｃ４）アルキルエステルである、請求項１記載の栄養補助食品。
【請求項８】
すべての誘導体がエチルエステルである、請求項１記載の栄養補助食品。
【請求項９】
すべての誘導体がメチルエステルである、請求項１記載の栄養補助食品。
【請求項１０】
すべての誘導体が遊離酸またはその薬学的に許容される塩である、請求項１記載の栄養補助食品。
【請求項１１】
すべての誘導体がモノグリセリド、ジグリセリド、トリグリセリド、またはそれらの任意の２つ以上の組み合わせである、請求項１記載の栄養補助食品。
【請求項１２】
該Ｃ１６：１ｎ７−パルミトレアート誘導体がシス−Ｃ１６：１ｎ７−パルミトレアート誘導体である、請求項１記載の栄養補助食品。
【請求項１３】
栄養補助食品がオレアート誘導体をさらに含み、該栄養補助食品のＣ１６：１ｎ７−パルミトレアート誘導体対オレアート誘導体の比率が６：１から１００：１であり、かつ各オレアート誘導体が独立して、遊離酸、薬学的に許容される塩、（Ｃ１−Ｃ４）アルキルエステル、モノグリセリド、ジグリセリド、トリグリセリド、またはそれらの任意の２つ以上の組み合わせである、請求項１記載の栄養補助食品。
【請求項１４】
Ｃ１６：１ｎ７−パルミトレアート誘導体対オレアート誘導体の比率が１０：１から２０：１である、請求項１３記載の栄養補助食品。
【請求項１５】
Ｃ１６：１ｎ７−パルミトレアート誘導体対オレアート誘導体の比率が２０：１から５０：１である、請求項１３記載の栄養補助食品。
【請求項１６】
Ｃ１６：１ｎ７−パルミトレアート誘導体対オレアート誘導体の比率が５０：１から１００：１である、請求項１３記載の栄養補助食品。
【請求項１７】
Ｃ１６：１ｎ７−パルミトレアート誘導体が、魚から得られるＣ１６：１ｎ７−パルミトレアート部分を含む、請求項１記載の栄養補助食品。
【請求項１８】
魚が、アンチョビ、メンヘーデン、スケトウダラ、ニシン、タラ、サケ、キュウリウオ、マグロ、サバ、オキアミ、またはそれら任意の２つ以上の組み合わせである、請求項１７記載の栄養補助食品。
【請求項１９】
魚がアンチョビを含む、請求項１７記載の栄養補助食品。
【請求項２０】
魚がメンヘーデンを含む、請求項１７記載の栄養補助食品。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
心臓弁インプラント（１０１）を保持するための医療用装置（１００）であって、
前記心臓弁インプラントを適合させることのできる湾曲を備えた周端縁（１０３）を規定する細長い支持部（１０２）を備え、
前記細長い支持部は、前記心臓弁インプラントを前記装置において適所に弾力的に保持するための弾性部分（１０４）を含み、
前記支持部は、第１の構成において拡張された円周（Ｃ）と、第２の構成において縮小された円周（Ｃ´）とを有し、前記第２の構成と第１の構成との間での前記支持部の径方向の移動により、前記湾曲を前記心臓弁インプラントに少なくとも部分的に沿わせて、前記心臓弁インプラントを適所に保持し、
前記第１の構成が緩められ、前記第２の構成が圧縮され、前記径方向の移動は、前記第２の構成から前記第１の構成への径方向への拡張である、医療用装置。
【請求項２】
前記細長い支持部は、少なくとも１つの中央開口部（１０５）を備えたリング形状である、請求項１に記載の医療用装置。
【請求項３】
前記リング形状は、前記細長い支持部が２つの自由端（１０６，１０７）を含むように不連続である、請求項２に記載の医療用装置。
【請求項４】
前記細長い支持部は、前記弾性部分を規定するよう可撓性がある、請求項１から３のいずれかに記載の医療用装置。
【請求項５】
前記自由端の各々は、前記圧縮された第２の構成において前記自由端を互いに向かって圧縮するために、ツール（２００）を受けるよう適合された係合面（１０８，１０９）を有する係合部分（１０６，１０７）を含む、請求項３に記載の医療用装置。
【請求項６】
前記係合部分および前記係合面は、前記細長い支持部の前記周端縁から径方向に延在する、請求項５に記載の医療用装置。
【請求項７】
位置決めツール（２００）との係合のための制御部材（１１０）を含み、前記制御部材は球面（１１７）を含む、請求項６に記載の医療用装置。
【請求項８】
前記制御部材は、前記自由端のうち、前記中央開口部から中心を外れた１つの前記自由端に固定され、前記係合部分は、前記周端縁から径方向内側に延在し、前記制御部材は前記係合部分のうちの１つの係合部分の端部（１１１）に固定される、請求項７に記載の医療用装置。
【請求項９】
前記細長い支持部は、前記心臓弁インプラントを受けるよう寸法決めされた前記周端縁に沿った径方向外側の開口部または溝（１１２）を含み、
および／または、
前記湾曲は、前記湾曲が、対応する三次元の経路に延在する前記心臓弁インプラントに沿うように三次元の経路（１１８）に概ね追従する、請求項１から８のいずれかに記載の医療用装置。
【請求項１０】
前記不連続なリング形状は、前記自由端が軸方向にオフセットされる（１１３）ように三次元の経路（１１８）に概ね追従する、請求項３および５から８のいずれかに記載の医療用装置。
【請求項１１】
前記細長い支持部は、前記周端縁に沿った摩擦低減シース（１１５）を含み、前記摩擦低減シース（１１５）は、前記装置によって適所に保持されたとき、前記心臓弁インプラントの一部を覆うよう径方向に延在する、請求項１から１０のいずれかに記載の医療用装置。
【請求項１２】
心臓弁インプラント（１０１）を保持するための支持ツール（４００）であって、
互いに別個であり、互いに相対的に径方向に移動可能である第１および第２の細長い支持部材（４０１，４０２）を含み、前記第１および第２の細長い支持部材（４０１，４０２）は各々、前記心臓弁インプラントを適合させることのできる湾曲を有し、前記支持ツール（４００）はさらに、
マニピュレータ部分（４１３，４１４）を含み、前記マニピュレータ部分（４１３，４１４）は、前記第１および第２の細長い支持部材のうち少なくとも１つを互いに相対的に移動させるために前記第１および第２の細長い支持部材に接続されて、前記湾曲を前記心臓弁インプラントに少なくとも部分的に沿わせて、前記心臓弁インプラントを適所に保持し、
前記第１および第２の細長い支持部材のうち少なくとも１つは、前記支持部材の端部（４０７，４０８）が軸方向にオフセットされる（１１３）ように三次元の経路（１１８）にほぼ追従する、支持ツール（４００）。
【請求項１３】
前記マニピュレータ部分と前記第１および第２の細長い支持部材との間における回動運動を可能にするための少なくとも１つの回動部材（４０５，４０６）を含む、請求項１２に記載の支持ツール（４００）。
【請求項１４】
前記第１および第２の細長い支持部材のうち少なくとも１つは、心臓弁インプラントのさまざまなサイズ範囲に合致させるために前記湾曲を可変にできるようにするために弾力性がある、請求項１２または１３に記載の支持ツール（４００）。
【請求項１５】
第１および第２の細長い支持部材は、前記インプラントの実質的に両側に接触させるために互いに相対的に径方向に移動可能である、請求項１２から１４のいずれかに記載の支持ツール（４００）。
【請求項１６】
前記第１および第２の細長い支持部材の各々は、神経交連の曲がり部分またはインプラントの後方の曲がり部分などの、前記インプラントの円扇形部分に対応する湾曲を有する、請求項１２から１５のいずれかに記載の支持ツール（４００）。
【請求項１７】
前記第１および第２の細長い支持部材のうち少なくとも１つは、前記心臓弁インプラン
トを受けるよう寸法決めされた前記細長い支持部材の周端縁（４１２）に沿った、径方向外側の開口部または溝（１１２，４１１）を備える、請求項１２から１６のいずれかに記載の支持ツール（４００）。
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
装飾カバーを保持するホルダを有する実質的に熱可塑性の本体を備えるヘッドボード装置。
【請求項２】
前記本体が、炭素樹脂を含む請求項１に記載のヘッドボード装置。
【請求項３】
少なくとも１つの実質的に熱可塑性の本体と、
前記少なくとも１つの本体のうちの１つまたは複数の中に組み込まれたＰＡ１ｂ関連ペプチドと、
を備える家具装置。
【請求項４】
前記本体が、前記本体内に組み込まれたサポニンをさらに含む請求項３に記載の家具装置。
【請求項５】
前記本体が、前記本体内に組み込まれた珪藻土をさらに含む請求項３または４に記載の家具装置。
【請求項６】
少なくとも１つの実質的に熱可塑性の本体と、
前記少なくとも１つの本体のうちの１つまたは複数の中に組み込まれた珪藻土と、
を備える家具装置。
【請求項７】
前記珪藻土が、前記少なくとも１つの本体のうちの１つまたは複数の約３０重量％である請求項５または６に記載の家具装置。
【請求項８】
前記少なくとも１つの本体が炭素樹脂を含む請求項３から７のいずれか一項に記載の家具装置。
【請求項９】
前記家具装置が、装飾カバーを保持する装置を備える請求項３から８のいずれか一項に記載の家具装置。
【請求項１０】
前記家具装置がベッドを備える請求項３から８のいずれか一項に記載の家具装置。
【請求項１１】
前記家具装置がテーブルを備える請求項３から８のいずれか一項に記載の家具装置。
【請求項１２】
前記家具装置が化粧台を備える請求項３から８のいずれか一項に記載の家具装置。
【請求項１３】
家具の物品がナイトテーブルを備える請求項３から８のいずれか一項に記載の家具装置。
【請求項１４】
珪藻土がＣＥＬＡＴＯＭ（商標）ＭＮ−５１を含む請求項３から８のいずれか一項に記載の家具装置。
【請求項１５】
珪藻土がクモ類または昆虫類の個体数をコントロールするのに有効である請求項１または２に記載のヘッドボード装置。
【請求項１６】
珪藻土がクモ類または昆虫類の個体数をコントロールするのに有効である請求項３から１４のいずれか一項に記載の家具装置。
【請求項１７】
クモ類または昆虫類の個体数をコントロールするための請求項１、２、１５のいずれか一項に記載のヘッドボード装置の使用。
【請求項１８】
クモ類または昆虫類の個体数をコントロールするための請求項３から１４、１６のいずれか一項に記載の家具装置の使用。
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
(i)配列RYGMS(配列番号5)を含むCDRH1;
(ii)配列MMKTKGGRTYYPDSVKG(配列番号6)を含むCDRH2;
(iii)配列DGYY(配列番号7)を含むCDRH3;
(iv)配列KSSQSLLHSDGKTYLN(配列番号8)を含むCDRL1;
(v)配列LVSKLDS(配列番号9)を含むCDRL2;および
(vi)配列WQGTHLWT(配列番号10)を含むCDRL3
のCDR配列を含む抗CD52抗体。
【請求項２】
軽鎖可変領域用の、配列番号25〜28からなる群から選択される1つまたは複数の配列と組み合わせた、重鎖可変領域用の、配列番号20〜24からなる群から選択される1つまたは複数の可変領域配列を含む、請求項1に記載の抗体。
【請求項３】
軽鎖可変領域用の、配列番号28と組み合わせた、重鎖可変領域用の、配列番号22を含む、請求項1または2に記載の抗体。
【請求項４】
ヒト集団からのHLA-DRアロタイプの一分布を有する50個のヒト血液試料におけるCD4+ヘルパーT細胞応答の誘導についてインビトロにおいて試験したとき、4%以下のT細胞応答をもたらす、請求項1から3のいずれか一項に記載の抗体。
【請求項５】
可変領域配列が、完全にヒト抗体可変領域における配列由来である、請求項1から4のいずれか一項に記載の抗体。
【請求項６】
ヒト定常領域とともに可変領域から構成される、請求項5に記載の抗体。
【請求項７】
ヒト重鎖定常領域がアイソタイプIgG1、IgG2、IgG3もしくはIgG4または突然変異IgG定常領域のいずれかであり、ヒト軽鎖ヒト定常領域がアイソタイプカッパである、請求項6に記載の抗体。
【請求項８】
ヒト定常領域がIgG1およびカッパである、請求項6に記載の抗体。
【請求項９】
ヒト定常領域がIgG4およびカッパである、請求項6に記載の抗体。
【請求項１０】
scFvまたはFabである、請求項1から5のいずれか一項に記載の抗体。
【請求項１１】
ヒトCD52に特異的に結合し、さらに、1つまたは複数の他の分子と結合するまたは相互作用する多重特異的なタンパク質の成分である、請求項1から10のいずれか一項に記載の抗体。
【請求項１２】
請求項1から10のいずれか一項に記載の抗体をコードするポリヌクレオチド。
【請求項１３】
請求項12に記載のポリヌクレオチドを含むベクター。
【請求項１４】
請求項13に記載のベクターを含む宿主細胞。
【請求項１５】
原核生物細胞、真核生物細胞または哺乳動物細胞である、請求項14に記載の宿主細胞。
【請求項１６】
請求項1から11のいずれか一項に記載の抗CD52抗体、請求項12に記載のポリヌクレオチドまたは請求項13に記載のベクターを含む組成物。
【請求項１７】
CLLおよび他の白血病;多発性硬化症、関節リウマチ、血管炎、筋炎および糖尿病を含む自己免疫疾患;ならびに臓器移植拒絶反応および移植片対宿主疾患を含む疾患を治療するための、請求項1から11のいずれか一項に記載の抗体。
【請求項１８】
CLLおよび他の白血病;多発性硬化症、関節リウマチ、血管炎、筋炎および糖尿病を含む自己免疫疾患;ならびに臓器移植拒絶反応および移植片対宿主疾患を含む疾患を治療するための、請求項12に記載のポリヌクレオチド。
【請求項１９】
CLLおよび他の白血病;多発性硬化症、関節リウマチ、血管炎、筋炎および糖尿病を含む自己免疫疾患;ならびに臓器移植拒絶反応および移植片対宿主疾患を含む疾患を治療するための、請求項16に記載の組成物。
【請求項２０】
ヒトCD52関連疾患の診断について、試料中のヒトCD52抗原の存在をin vitroで検出するための方法における、請求項1から11のいずれか一項に記載の抗体の使用。